(57)【特許請求の範囲】
【請求項１】
体液化学解析器とともに用いるためのプリント装置において、
体液化学解析器との通信のための通信ポートと、
前記通信ポートへの利用者による前記体液化学解析器の接続を検出する検出手段と、
前記検出手段による検出に応答して、前記体液化学解析器から体液化学データを取得する取得手段と、
該取得したデータを解析して治療上のアドバイスデータを作成し、該アドバイスデータを含む配列データを配列する配列手段と、
該配列した配列データをプリントするプリント手段と、
を具え、前記プリントされた配列データには前記治療上のアドバイスデータが含まれ、前記通信ポートは無線の通信ポートであり、前記プリント装置はさらにモニタ回路を備えて、利用できる無線の体液化学解析器をポーリングし、該利用できる無線の体液化学解析器との間で通信リンクを確立し、および注意を喚起して前記利用者に利用できる体液化学解析器であることを示すようにし、および前記検出手段は前記注意に応答した通信を検出することを特徴とするプリント装置。
【請求項２】
将来の利用者に届けられる前に予めインストールされた、前記体液化学解析器とのインターフェースのための１組のドライバをさらに有したことを特徴とする請求項１に記載のプリント装置。
【請求項３】
前記体液化学解析器は、血液グルコースモニタを含むことを特徴とする請求項１に記載のプリント装置。
【請求項４】
前記無線通信ポートは赤外線ポートを含むことを特徴とする請求項１に記載のプリント装置。
【請求項５】
前記無線通信ポートはＩＥＥＥ８０２．１１ポートを含むことを特徴とする請求項１に記載のプリント装置。
【請求項６】
前記無線通信ポートはＢｌｕｅｔｏｏｔｈポートを含むことを特徴とする請求項１に記載のプリント装置。
【請求項７】
前記配列手段は、さらに前記データから図表を作成し、前記プリント手段は前記図表をプリントすることを特徴とする請求項１に記載のプリント装置。
【請求項８】
格納された体液化学解析データを取り出してプリントする方法において、
体液化学解析器との通信のための通信ポートを用意する工程と、
前記通信ポートへの利用者による前記体液化学解析器の接続を検出する工程と、
前記検出工程における検出に応答して、プリント装置の通信ポートを介して体液化学解析器から体液化学解析データを取り出し、
前記体液化学解析データを解析して治療上のアドバイスデータを作成し、該アドバイスデータを含む配列データを配列し、
該配列した配列データをプリントする、
ステップを有し、前記プリントされた配列データには前記治療上のアドバイスデータが含まれ、前記通信ポートは無線の通信ポートであり、前記プリント装置はさらにモニタ回路を備えて、利用できる無線の体液化学解析器をポーリングし、該利用できる無線の体液化学解析器との間で通信リンクを確立し、および注意を喚起して前記利用者に利用できる体液化学解析器であることを示すようにし、および前記検出手段は前記注意に応答した通信を検出することを特徴とする方法。
【発明の詳細な説明】
【０００１】
【発明の属する技術分野】
本発明は、例えば血液グルコースメータ(ＢＧＭｓ)等の、個人用医療モニタに関する。特に、本発明は、例えば体液化学解析器ような、個人用医療モニタからデータを取り出してそれを解析し、また、そのデータについて所定の配列をしてそのデータに基づく結果をプリントするためのプリント装置に関する。その出力には、個人用医療モニタから入るデータのログを含めることができ、また、円グラフ、傾向、ヒストグラムなどのような、データから抽出されるグラフィックな表現をも含めることができる。また、本発明によるプリント装置は、治療基準を適用し、そのときのデータの解析に基づいてプリント出力に治療上のアドバイスを含めることができ、これにより、健康管理の専門家と患者の双方に治療上のガイドを提供することができる。
【０００２】
【従来の技術】
臨床データを作成しまた蓄えることができる医療機器の価値は、臨床の結果に影響を及ぼすような、次に続くそのデータの利用において決まる。１つの例は、糖尿病管理のための自己監視される血液グルコース(ＳＭＢＧ)データの利用がある。多くの要因によって、現在、血液グルコースメータにより作成されたＳＭＢＧデータの効果的な利用が制約されている。患者と健康管理者の双方とも、現在のハードウエア、データの解析およびその提示、時間、教育および治療原則の適用が、毎日患者から生成される価値あるデータに対して限界があり、その制約を受けている。
【０００３】
目下ＳＭＢＧデータの利用は、メータの表示を利用すること、患者手作りのログブックを見ること、またはソフトウエアプログラムに基づいたＰＣにメータを接続してそれにデータをダウンロードすることによって果たされている。残念ながら、これらの方法はそれぞれに不足したものである。メータ表示や患者のログブックに基づいたデータ利用はデータを全く利用しないよりはよいが、利用する者の臨床の知識や解析能力によって限界がある。また、手作りのログブックは誤りを生じ易く、その結果、データは不完全となる。
【０００４】
目下のＰＣのダウンロードシステムに基づいたデータ利用は、利用する者のデータ解析能力をある程度高める。しかし、今のＰＣシステムは少なくとも２つの面で不足したものである。第１に、今のシステムは利用の容易さの点で問題を生じさせる。利用者はシステムを接続して構成することに精通するとともに、システムにアクセスして、データを意味があって有用な配列で提示することに精通していなければならない。第２に、今のシステムは、解析されたデータをいかに適用して臨床上の決定をよりよいものとするかについて、限られた唯１つの方向を示すだけである。
【０００５】
【発明が解決しようとする課題】
本発明は上記の不都合を解消するものであり、また、本発明のシステムを提供することによって別の利点が得られる。
【０００６】
【課題を解決するための手段】
本発明の１つの実施形態では、プリンタなどの出力装置はインターフェースを具えて、例えば血液グルコースモニタなどの体液化学解析器を受け入れる。データはインターフェースを介して血液グルコースモニタから出力装置に転送される。そのデータは解析されてグラフィックな表示に構成され、それらの表示は患者と健康管理者双方の評価のためにプリントされる。他の実施形態では、出力装置によってデータに治療規準が適用され、データに基づいた出力装置のプリント出力に治療上のアドバイスが含められる。これにより、健康管理者と患者の双方に治療上のガイドを提供することができる。
【０００７】
【発明の実施の形態】
以下に示す、本発明を実施する場合の現在考え得る最良の形態および本発明の好ましい実施形態の記述は、限定する意味に解されるべきものでなく、単に本発明の全体的な原理を説明する目的で提供されるものである。
【０００８】
図１は、本発明の第１の実施形態にかかるシステム１００を示す。このシステムは、プリンタ接続ケーブル１０６によって電子機器パッケージ１０４に接続されるプリンタ１０２を含む。システムはさらに、例えば血液グルコースメータなどの個人用医療モニタ１０８を含み、このモニタはインターフェースケーブル１１０によって電子機器パッケージ１０４に接続される。電子機器パッケージ１０４は状態表示器１１２を有する。この表示器は例えばＬＥＤであり、システムの状態について視覚的なフィードバックをもたらすようにされたものである。状態表示器１１２は、特に、システム１００が何もしていない準備状態であるか、システム１００が個人用医療モニタ１０８に接続されているか、システム１００がプリント中か、またプリンタ１０２がメインテナンスを必要としているかについて知らせる。個人用医療モニタ１０８はインターフェースコネクタ１１４を有し、このコネクタはインターフェースケーブル１１０に接続されるように構成される。これにより、個人用医療モニタと電子機器パッケージ１０４との間のデータ転送を容易にすることができる。
【０００９】
図２は本発明の第２の実施形態にかかるシステム２００を示す。この実施形態では、電子機器パッケージ１０４はプリンタ１０２本体に一体化されている。また、インターフェースケーブル１１０の代わりにインターフェース２０２が用いられ、これもまたプリンタ１０２本体に一体化されている。インターフェースすなわちポート２０２(例えば、プラグとソケットの配列とすることができる)は、個人用医療モニタ１０８がインターフェース２０２に接続されたときにその個人用医療モニタ１０８のインターフェースコネクタ１１４を介して個人用医療モニタ１０８からのデータ転送を容易にする。
【００１０】
図３は本発明の第３の実施形態にかかるシステム３００を示す。本実施形態では、プリンタ１０２と個人用医療モニタ１０８はアンテナ３０２、３０４を備えて、個人用医療モニタ１０８と電子機器パッケージ１０４との間の無線のデータ転送を容易にする。
【００１１】
図４は本発明によるシステム４００のブロック図である。出力装置４０２は、好ましくはプリンタ４０４と電子機器４０６を含むものである。プリンタ４０４は、好ましくはペーパー４０８、トナーまたはインク４１０および電源４１２を収容する。ペーパー４０８は、好ましくは例えば８．５インチ×１１インチ、すなわちＡ４サイズなどの、規格型の普通紙とすることができる。ペーパーは、プリントされたレターヘッド付きのペーパーや、販売促進や取り扱い説明の情報など、予め他の情報がプリントされたペーパーであってもよく、この情報は利用するデータには関わらない。もちろん、当業者であれば、本発明がペーパーの特定の形に限定されることはなく、また、本発明が広く多様なプリントおよび表示の技術との関係で有用であると考えられることを容易に理解できる。プリンタ４０４は、好ましくはレーザープリンタであり、トナー４１０を用いてページをプリントする。しかし、本発明はレーザープリンタに限られるものでなく、例えばインクジェットプリンタなどあらゆるプリンタ、あるいは、ＣＲТやＬＣＤ表示器を含む、あらゆるタイプの出力装置は本発明の範囲内のものであるとみなされる。プリンタ４０４は、好ましくは規格の１２０Ｖの交流電源４１２を用い、この電源は例えばたいてい壁の引き出し口で利用することができる。しかし、与えられた情況において手ごろで適切なものである場合他の電源を用いることができ、また、適切な電源供給はどのようなものも本発明の範囲内のものとみなされる。また、出力装置４０２は、外部電源の代わりの電池(不図示)、またはバックアップ電源としての電池(不図示)によって動作してもよい。
【００１２】
電子機器４０６は多くのタスクを実行する。特に、電子機器４０６は、血液グルコースモニタ４１４が装置４０２に接続されたときの血液グルコースモニタ４１４からのデータ転送を管理する。好ましくは、電子機器は血液グルコースモニタ４１４が出力装置４０２に接続されたときを知り、利用者の介在なしにデータ転送を始めるように構成されている。好ましい実施形態では、出力装置４０２はその構成としてインターフェース２０２を有し、そのインターフェースには血液グルコースモニタ４１４からのデータを受けるための物理的インターフェースが含まれる。血液グルコースモニタ４１４は対応のインターフェース１１４を有し、これが出力装置４０２のインターフェース２０２に適合するようにされている。そして、利用者は単に血液グルコースモニタ４１４を出力装置のインターフェースに挿入するだけでデータ転送とプリント動作が開始される。
【００１３】
本発明の好ましい実施形態では、プリンタ４０４は、体液化学解析器とのインターフェースに必要なあらゆるドライバソフトウエアとコンフィギュレーションソフトウエアを有しており、これらのソフトウエアは、例えば健康管理の専門家のオフィスなどの将来の利用者に届けられる前に予めインストールされている。ここでは、このことによってプリ−コンフィギュアードと呼ぶ。このようにして、本実施形態では、一旦プリンタ４０４が利用者のところに届けられると、その装置を用いるのに必要なことの全ては、それに電力を与えることと血液化学解析器を接続することである。ドライバソフトウエアおよびコンフィギュレーションソフトウエア４１６は、好ましくは図４に示されるように、プリンタの電子機器４０６に含まれる。代わりに、それらのソフトウエアはコンピュータによって読み出し可能な記憶媒体に格納されてもよく、この記憶媒体は電子機器４０６によってアクセスできるようにされる。
【００１４】
他の実施形態では、出力装置４０２は無線のトランシーバ(不図示)を備え、これにより、無線の通信能力を有する血液グルコースモニタ４１４と通信を行なうことができる。出力装置４０２は、ＢｌｕｅｔｏｏｔｈまたはＷｉＦｉ(ＩＥＥＥ８０２．１１ｂプロトコル)などの無線装置を装備し、血液グルコースモニタ４１４が無線通信可能な範囲内にあるとき電子機器４０６に注意を喚起する。もちろん、当業者であれば、本発明が特定の無線技術に限定されず、また、他の技術の中でも、注文または専用の磁気の、ＲＦ(ｒａｄｉｏ  ｆｒｅｑｕｅｎｃｙ)の、または赤外線の無線通信プロトコルを含むことができることは容易に理解できることである。電子機器４０６は血液グルコースモニタ４１４と通信のリンクを確立させ、これにより、データを無線手段によって出力装置４０２に転送することが可能となる。一実施形態では、血液グルコースモニタ４１４は利用者に注意を喚起して出力装置４０２との接続が有効である旨を知らせるようにされている。血液グルコースモニタ４１４のボタンを押すことにより、または、違ったやり方で出力装置へのデータ転送を望むことを示すことにより、血液グルコース装置４１４から出力装置４０２へのデータ転送が起動される。
【００１５】
電子機器４０６はまた、受け取ったＳＭＢＧデータに基づいてプリントページをフォーマットし、円グラフ、ヒストグラムなどデータのグラフィックな表示を作成し、また、プリントされるあらゆる情報をフォーマットするように構成されている。電子機器４０６は、さらにプリンタ４０４を駆動する。最後に、電子機器４０６はシステム４００に備えられ得る他のあらゆるインターフェースを管理する。このようなインターフェースとしては、例えばＰＣまたはネットワークへのリンクであり、これにより、データ格納またはデータ検索、構成、ソフトウエアの性能向上などが可能となる。
【００１６】
本発明の一実施形態では、電子機器４０６はさらに論理回路を備えて、血液グルコースモニタ４１４から受け取ったデータの解析を行なうとともに、治療基準をデータに適用する。このようにして、装置は、データのグラフィックな表示などの他のプリント物とともにＳＭＢＧデータの解析に基づいた治療上のアドバイスを提供することができ、これにより、患者と健康管理の供給者に治療のガイドを提供することができる。
【００１７】
図５は、本発明の一実施形態にかかるシステムの機能を説明するフローチャートである。装置４０２は、好ましくはステップ５００でモニタ４１４が装置４０２に接続されることによって作動させられる。本発明の好ましい実施形態によれば、出力を得るために利用者が行なわなければならない動作はこの動作だけである。当業者であれば、物理的接続は必要ではなく、データ転送は無線手段によってなされてもよいことは解ることである。この無線手段としては、例えば、Ｂｌｕｅｔｏｏｔｈまたは８０２．１１ｂの無線プロトコルによるもの、あるいは赤外線データポートを介したものがある。無線の実施形態では、モニタを物理的にプリント装置に接続するよりも、むしろ利用者に求められる唯一のことがモニタをプリント装置の近くに置くことだけであるようにすることができる。モニタは、その近くにある適したプリンタを認識し利用者にモニタとプリンタとの間の通信が確立されたことを知らせるように構成される。この場合、利用者は単に、例えばモニタにその目的で設けられている適当なボタンを押すことによって、データの転送を生じさせる旨の指示を出せばよい。
【００１８】
図２に関して記述したように、一度モニタ４１４が接続されると、装置４０２は、ステップ５０２で、モニタ４１４を検出してモニタとの情報通信プロトコルを開始する。これにより、モニタ４１４からのデータを電子機器４０６にダウンロードすることができる。ステップ５０４では、モニタ４１４２に含まれるデータは装置４０２の電子機器４０６にダウンロードされて解析および処理が行なわれる。ステップ５０６で、利用者はデータ転送が完了したことを知らされる。
【００１９】
ステップ５０８では、モニタ４１４から受け取ったデータは、その解析および処理がなされる。データはプリントのためにフォーマットされる。好ましくは、このフォーマットには、データのグラフィック表示の作成が含まれ、この表示は例えば、予め規定された、健康管理の専門家および患者に役に立つヒストグラム、棒グラフや他のあらゆるグラフィック表示である。加えて、データ処理の間に、一組の治療基準をそのデータに適用し治療上のアドバイス出力するようにすることができる。例えば、モニタ４１４からダウンロードされたデータは、その患者は１日に２回インシュリンの投与を受けていることを示す情報を含むことができる。データはさらに患者が午後の早い時期(典型的には昼食の後)における高血糖を経験したことを示すものとすることができる。これらの要素に基づき、プリント装置は治療上の基準を適用して患者に１日に３回の投薬をするインシュリンスケジュールを始めるようアドバイスを作成することができる。このようにして、本発明のシステムは健康管理の専門家に患者のためになる治療ガイドを提供することができる。もちろん、システムによって適用される治療上の基準が制限を受けるのは、システムによって利用されるソフトウエアの細部のレベルとともに、ハードウエアの精巧さと処理能力だけである。広い範囲の可能性ある治療上の基準は、本発明の範囲内にあると考えられるものである。
【００２０】
ステップ５１０では、プリンタは、上述したように、グラフィックなデータ、ログデータ、治療上のアドバイスなどのフォーマットされたデータを含むプリントされたページを出力する。最後に、ステップ５１２、５１４および５１６で、プリント出力は患者、健康管理の専門家あるいは教える者によって用いられる。ペーパーのプリント出力は本発明の好適な実施形態について説明されたが、本発明はこのペーパーによるプリント出力に限られないことを理解すべきである。従って、ＣＲТやＬＣＤ表示器への出力などは、本発明の範囲内にあると考えられるものである。
【００２１】
図６Ａから図６Ｃは、プリント装置の他の実施形態を示す。図６Ａはインクジェット形式のプリンタで前方に向いた、体液化学解析器のためのコネクタを備えたものを示している。図６Ｂはインクジェット形式のプリンタの他の実施形態で側方を向いた、体液化学解析器のためのコネクタを備えたものを示している。図６Ｃはインクジェト形式のプリンタで上方を向いた、体液化学解析器のためのコネクタを備えた実施形態を示している。
【００２２】
図７Ａから図７Ｄは、本発明の一実施形態に係るプリント装置を制御するプロセッサのプログラムフローを示すより詳細なフローチャートである。プログラムフローはステップ７００でスタートする。ステップ７０２で、プリンタはメータが接続されているか否かについて確認する。メータが接続されている場合、ステップ７０４で、プログラムはメータのシリアル番号を確認して新しいシリアル番号か否かを確認する。新しいシリアル番号の場合、プログラムフローはステップ７０６へと進む。データがメータから取られる間、ＬＥＤ表示器は明滅させられる(ステップ７０６)。ステップ７０８では、メータのシリアル番号と設定がダウンロードされる。
【００２３】
ステップ７１０では、プログラムはメータの日付と時間が設定されているかを確認する。日付と時間が未だ設定されていない場合は、プログラムはステップ７１２へ進み、ステップ７１４でページがプリントされる間ＬＥＤを確実に点灯する。そのページはメータの時間と日付が設定されていないことを示す。そして、プログラムフローは以下で記載されるステップ７１６へ進む。ステップ７１０でプログラムがメータの日付と時間が設定されていることを確認した場合は、プログラムフローはステップ７１８へ進み、グルコースとインシュリンのデータをダウンロードする。次に、ステップ７２０で、プログラムはグルコースまたはインシュリンのいずれかのデータがダウンロードされたか否かを確認する。ステップ７１８でデータがダウンロードされていない場合は、プログラムフローはステップ７２２へ進み、ステップ７２４でページがプリントされる間ＬＥＤを確実に点灯する。プリントされたページはデータがないことを示す。
【００２４】
ステップ７２０でグルコースおよびインシュリンのデータがダウンロードされたことを確認した場合は、プログラムフローはステップ７２６へ進み、ステップ７２８でプリントページが生成される間、ＬＥＤを確実に点灯する。プリントされたページの配列および内容は、大部分は７３０に記述される。また、状態およびエラーの状況は、好ましくは概略７３４で示されるように、一組のＬＥＤを制御するによって示されるものである。ステップ７１６では、プリントされるべき全てのページのプリントが完了すると、進行ＬＥＤが消される。プログラムフローはステップ７３２で終了する。この時点で、プログラムフローは好ましくはステップ７００のスタートへ戻る。
【００２５】
ここで開示されている本発明は特定の実施形態とそれの応用によって記述されているが、当業者であれば、本発明の範囲を超えることなく実施形態の多く変形例や変化を作ることができる。
【００２６】
図において、同様の数字は同様の構造またはステップを表わす。
【００２７】
本発明は、添付の図面によってさらに理解できるものである。
【図面の簡単な説明】
【図１】本発明による代表的なシステムの第１実施形態を示す。
【図２】本発明による代表的なシステムの第２実施形態を示す。
【図３】本発明による代表的なシステムの第３実施形態を示すである。
【図４】本発明の代表的な実施形態にかかるシステムのブロック図である。
【図５】本発明の実施形態による代表的な方法を示すフローチャートである。
【図６Ａ】本発明によるプリント装置の他の実施形態を示す。
【図６Ｂ】本発明によるプリント装置の他の実施形態を示す。
【図６Ｃ】本発明によるプリント装置の他の実施形態を示す。
【図７Ａ】本発明の実施形態によるプリント装置を制御するよう構成されたプロセッサの機能を示すフローチャートである。
【図７Ｂ】図７Ａのフローチャート続きを示すフローチャートである。
【図７Ｃ】ステップ７２８で作成されるプリントページの配列と内容を示す図である。
【図７Ｄ】ステップ７２０で取得される状態とエラー状態を示す図である。
【図１】
0004860092.tif 000002
【図２】
0004860092.tif 000003
【図３】
0004860092.tif 000004
【図４】
0004860092.tif 000005
【図５】
0004860092.tif 000006
【図６Ａ】
0004860092.tif 000007
【図６Ｂ】
0004860092.tif 000008
【図６Ｃ】
0004860092.tif 000009
【図７Ａ】
0004860092.tif 000010
【図７Ｂ】
0004860092.tif 000011
【図７Ｃ】
0004860092.tif 000012
【図７Ｄ】
0004860092.tif 000013